(57)【要約】【課題】搬送機構を持たない非接触券処理機において、交信を安定して確実に行えるようにする。【解決手段】非接触券１枚が投入できる大きさの開口を有する投入口と、その投入口の所定位置に前記非接触券が投入されたことを検出する検出手段と、前記投入口の所定位置に前記非接触券が投入されたときに、その非接触券のその投入口からの取出しを阻止する阻止機構と、前記投入口の所定位置に前記非接触券が投入されたときに、その非接触券と交信する交信手段と、交信が終了したときに、前記阻止手段の阻止を解除する解除手段とからなる。【選択図】      図１
2004192417.tif 000002
【特許請求の範囲】
【請求項１】
非接触券１枚が投入できる大きさの開口を有する投入口と、
前記投入口の所定位置に前記非接触券が投入されたことを検出する検出手段と、
前記投入口の所定位置に前記非接触券が投入されたときに、その非接触券のその投入口からの取出しを阻止する阻止機構と、
前記投入口の所定位置に前記非接触券が投入されたときに、その非接触券と交信する交信手段と、
交信が終了したときに、前記阻止手段の阻止を解除する解除手段と、
からなることを特徴とする非接触券処理装置。
【請求項２】
請求項１に記載の非接触券処理装置において、交信により非接触券が異常と判定されたときに、阻止機構の解除を禁止する禁止手段を有することを特徴とする非接触券処理装置。
【請求項３】
請求項１又は２に記載の非接触券処理装置において、阻止機構は、ソレノイドで構成されていることを特徴とする非接触券処理装置。
【請求項４】
請求項１〜３のいずれかに記載の非接触券処理装置において、非接触券処理機は、自動積増機又は非接触式自動精算機であることを特徴とする非接触券処理装置。
【発明の詳細な説明】
【０００１】
【発明の属する技術分野】
本発明は、非接触券に金額を積増する自動積増機や非接触式自動精算機等の非接触券を処理する非接触券処理機に組込まれる非接触券処理装置に関する。
【０００２】
【従来の技術】
近年、首都圏の自動改札システムでは、非接触式自動改札機が用いられるようになってきている（特許文献１参照。）。この非接触式自動改札機で用いられる非接触券は、無線通信機能を備えたＩＣカードから構成されているので、その非接触券を非接触式自動改札機の本体のアンテナにかざして、又はそのアンテナに軽くタッチするだけで、その非接触券に記録（記憶）されている定期券データ又はその非接触券に記録されている金額データ（ＳＦデータ）を用いて入場又は出場することができ、利用者の利便を高めることができる特長がある。
【０００３】
【特許文献１】特開平１−２４６６８７号公報
【０００４】
【発明が解決しようとする課題】
ところで、自動改札システムが非接触式自動改札機を採用すると、乗越を精算処理するための自動精算機も非接触券対応の非接触式自動精算機にする必要があるとともに、その非接触券にＳＦデータ記憶部が設けられているために非接触券に金額の積増を行う自動積増機も必要となる。
【０００５】
非接触式自動精算機等の非接触券処理機には、精算原券としての非接触券や積増される非接触券が投入されるが、その非接触券は、従来の磁気券に比べて厚さが厚いので従来の磁気券用の取込搬送機構をそのまま用いることができず、非接触券用の特別な取込用の搬送機構が必要となる。
【０００６】
このような特別な取込用の搬送機構を必要とする不都合を防止するために、非接触券を載置する載置台を設けるようにすることも考えられるが、このような載置台に非接触券を載置したときには、交信の開始のタイミングがとりにくく、交信が不安定になりやすいという新たな問題点が発生してしまう。
【０００７】
そこで、本発明は、非接触券の取込搬送機構を持たない非接触券処理機において、非接触券と安定的に交信することのできる非接触券処理装置を提供することを目的としている。
【０００８】
【課題を解決するための手段】
本発明に係る非接触券処理装置は、上記目的を達成するために、請求項１に記載の発明は、非接触券１枚が投入できる大きさの開口を有する投入口と、その投入口の所定位置に前記非接触券が投入されたことを検出する検出手段と、前記投入口の所定位置に前記非接触券が投入されたときに、その非接触券のその投入口からの取出しを阻止する阻止機構と、前記投入口の所定位置に前記非接触券が投入されたときに、その非接触券と交信する交信手段と、交信が終了したときに、前記阻止手段の阻止を解除する解除手段と、からなることを特徴としている。
本発明の請求項２に記載の非接触券処理装置は、交信により非接触券が異常と判定されたときに、阻止機構の解除を禁止する禁止手段を有することを特徴としている。
本発明の請求項３に記載の非接触券処理装置は、阻止機構は、ソレノイドで構成されていることを特徴としている。
本発明の請求項４に記載の非接触券処理装置は、非接触券処理機は、自動積増機又は非接触式自動精算機であることを特徴としている。
【０００９】
【発明の実施の形態】
以下、本発明の実施の形態を図面に基づいて説明する。図１（ａ）は、非接触券処理機イを非接触式自動精算機とし、その非接触式自動精算機に本発明に係る非接触券処理装置１を組込んだときの概略構成図である。
【００１０】
この非接触券処理装置１は、上辺が下辺よりも短く形成された断面コ字状の投入口２を有している。この投入口２の非接触券Ｃの投入される方向から見た（図１（ａ）を右側から見た）開口の大きさは、カード状の非接触券Ｃが１枚投入できる横長のスリット状を呈し、その開口の奥行きは、非接触券Ｃの全体が挿入できるように構成されている（後述の図１（ｃ），（ｄ）参照）。そして、この投入口２の奥には、非接触券Ｃが所定の位置に投入されたことを検出するホトセンサからなる、本発明の検出手段をなす検出器３が設けられている。
【００１１】
図中、ａは、本発明の交信手段の一部をなすアンテナであって、投入口２に投入された非接触券Ｃと交信できる位置に設けられ、また、４は、本発明の阻止機構をなすソレノイドであって、そのソレノイド４のロッド４ａは、投入口２に非接触券Ｃが所定の位置に完全に投入されたときの後端位置よりも少し外側に位置できるように設けられている（後述する図１（ｃ）参照）。このロッド４ａは、図示しないばねにより、常時、突出するように構成されており（後述する図１（ａ），（ｃ）参照）、また、ソレノイド４が通電されたときに、そのロッド４ａを後退（吸引）できるように構成されている（後述する図１（ｃ）参照）。さらに、このロッド４ａは、図示しないばねに抗して押圧されたときには後退できるように構成されている（後述する図１（ａ），（ｂ）参照）。ただし、図示しないストッパが作動したときは、ロッド４ａは、押圧されても後退できないように構成されている。
【００１２】
図中、５は、非接触式自動精算機イを統括的に制御する制御器であって、非接触券処理装置１もこの制御器５によって制御されるように構成されている。図２は、制御器５及び非接触券Ｃの電気的構成を示すブロック図であって、制御器５側から説明すると、この制御器５のＣＰＵ１０は、ＲＯＭ１１に記憶されているシステムプログラム及びＲＡＭ１２に記憶されているワーキングデータを用いて演算処理を行って、非接触式自動精算機イを統括的に制御できるように構成されている。そして、このＣＰＵ１０には、Ｉ／Ｏユニット１３を介して検出器３からの検出信号を取込むためのセンサアンプ１４と、ソレノイド４を駆動制御するソレノイドドライバ１５と、不足料金（精算料金）を表示したり、あるいは、投入された金銭を処理等を行って所定の精算処理を実行する精算処理ユニット１６が接続されている。
【００１３】
リーダライタＲには、非接触券Ｃと交信を行うためのアンテナａが接続されている。このアンテナａは、非接触券Ｃとデータ授受を行う機能と、その非接触券Ｃに電力を供給する機能とが備えられている。
【００１４】
非接触券Ｃは、無線通信機能を有するＩＣカードと同様に構成されている。すなわち、この非接触券Ｃには、アンテナＡと、非接触式自動精算機イ側と交信するための通信制御部２０と、その通信制御部２０とＩ／Ｏユニット２１を介して接続されているＣＰＵ２２と、システムプログラムや乗車券データ等のカードデータの記録されているメモリ２３と、非接触式自動精算機イからの電力波をアンテナＡを介して受信し、非接触券Ｃの駆動電力を生成する電力生成回路２４とを有している。
【００１５】
以下、図１（ａ）〜（ｄ）及び図４のフローチャートを用いて制御動作について説明する。今、非接触券Ｃを所持している利用者が非接触式自動精算機イを用いて精算処理をしようとしているものとする。
【００１６】
非接触券Ｃがソレノイド４のロッド４ａを押下しながら投入口２に投入され（ステップ１００肯定。以下、ステップを「Ｓ」とする。図１（ａ），（ｂ）参照）、その非接触券Ｃが検出器３で検出されると（Ｓ１０２肯定。図１（ｃ）参照）、非接触券Ｃと非接触式自動精算機イとの間で交信が開始される（Ｓ１０４）。この交信により非接触券Ｃのカードデータが制御器５に取込まれて所定の精算処理用の演算処理が行われる。また、制御器５では、取込まれたカードデータが予め外部からＲＡＭ１２に盗難や紛失された等の異常券として記録されている非接触券であるか否かの照合が行われる。投入口２に投入された非接触券Ｃがこのような異常券でなければ（Ｓ１０６肯定）、図示しない表示画面に演算処理で得られた精算料金（不足料金）が表示され、その表示された金額を満たす金銭が非接触式自動精算機イに投入されると精算券が発行され（非接触券Ｃに精算券の情報を書込み、その情報を基に非接触式自動改札機を介して出場できるように運用されているときは、精算券の発行は省略される。）、一連の精算処理が終了となる（Ｓ１０８肯定）。なお、この一連の精算処理が終了するまで、ソレノイド４のロッド４ａは、図示しないストッパにより押下ができず、すなわち、ロッド４ａに別の図示しないソレノイドで駆動されるストッパが係止して押下できず、したがって、投入口２からの非接触券Ｃの抜出しは禁止される。
【００１７】
上述の精算処理が終了すると、ストッパが解除されるとともに、ソレノイド４は通電されてロッド４ａが吸引され、利用者は、投入口２から非接触券Ｃの取出しが可能となる（Ｓ１１０。図１（ｄ）参照）。ところで、上述の演算処理の結果、投入口２に投入された非接触券Ｃが異常券と判定されたときは、精算料金の表示は行われず、また、ストッパの解除が禁止されるとともに、ソレノイド４のロッド４ａの吸引が行われずに係員に報知される（Ｓ１０６否定、Ｓ１１２）。したがって、異常券での精算処理は行われず、その異常券での出場は阻止される。また、その異常券の投入口２からの抜出しも阻止される。
【００１８】
なお、上述の例では、非接触券処理装置１を非接触式自動精算機イに組込んだ例を示したが、自動積増機に組込むこともでき、あるいは、駅構内の売店等で非接触券Ｃを用いて商品を購入したときの決済機等に組込むこともできる。
【００１９】
【発明の効果】
本発明の請求項１に記載の非接触券処理装置は、非接触券１枚が投入できる大きさの開口を有する投入口と、その投入口の所定位置に前記非接触券が投入されたことを検出する検出手段と、前記投入口の所定位置に前記非接触券が投入されたときに、その非接触券のその投入口からの取出しを阻止する阻止機構と、前記投入口の所定位置に前記非接触券が投入されたときに、その非接触券と交信する交信手段と、交信が終了したときに、前記阻止手段の阻止を解除する解除手段とからなるので、特別な取込用の搬送機構を有しなくとも安定した交信を行うことができる。
本発明の請求項２に記載の非接触券処理装置は、交信により非接触券が異常と判定されたときに、阻止機構の解除を禁止する禁止手段を有しているので、異常な非接触券の処理を効果的に防止することができる。
本発明の請求項３に記載の非接触券処理装置は、阻止機構は、ソレノイドで構成されているので、簡単な機構で阻止機構を実現することができる。
本発明の請求項４に記載の非接触券処理装置は、非接触券処理機は、自動積増機又は非接触式自動精算機であるので、自動積増機又は非接触式自動精算機における非接触券を安定して処理することができる。
【図面の簡単な説明】
【図１】（ａ）は、本発明に係る非接触券処理装置を非接触式自動精算機に組込んだときの概略構成図、（ｂ）〜（ｃ）は、動作を説明するための説明図である。
【図２】制御器及び非接触券の電気的構成を示すブロック図である。
【図３】制御動作を示すフローチャートである。
【符号の説明】
イ  非接触式自動精算機（非接触券処理機）
１  非接触券処理装置
２  投入口
３  検出器
４  ソレノイド
４ａ  ロッド
５  制御器
Ｃ  非接触券
【図１】
2004192417.tif 000003
【図２】
2004192417.tif 000004
【図３】
2004192417.tif 000005